(57)【特許請求の範囲】
【請求項１】
釣り竿の外周面に装着され釣り糸を案内する釣り糸ガイドであって、
開口を有し、前記釣り竿の外周面に装着されるフレーム部と、
前記フレーム部の開口に装着され、案内される釣り糸の周方向の移動を規制する移動規制部が内周部の周方向の少なくとも一か所に設けられたガイドリングと、
を備え、
前記移動規制部は、前記ガイドリングの他の部分より前記釣り竿の軸方向の肉厚が厚くなっており、かつ前記釣り竿の軸方向に沿った曲率半径が前記ガイドリングの他の部分より大きい、
釣り糸ガイド。
【請求項２】
前記移動規制部は、前記ガイドリング内周部に形成された凹部である。請求項１に記載の釣り糸ガイド。
【請求項３】
前記移動規制部は、前記ガイドリング内周部に形成され、他の部分より周方向での摩擦係数が大きい摩擦部である、請求項１に記載の釣り糸ガイド。
【請求項４】
前記移動規制部は、前記ガイドリング内周部に周方向に等間隔で複数設けられている、請求項１から３のいずれかに記載の釣り糸ガイド。
【請求項５】
前記ガイドリングは内周部が多角形であり、前記移動規制部は前記多角形の角部で構成される、請求項４に記載の釣り糸ガイド。
【発明の詳細な説明】
【０００１】
【発明の属する技術分野】
本発明は、釣り糸ガイド、特に、釣り竿の外周面に装着され釣り糸を案内する釣り糸ガイドに関する。
【０００２】
【従来の技術】
並継竿や振出竿等の釣り竿の外周面には、釣り糸に接触して釣り糸をリールと穂先との間で案内する釣り糸ガイドが設けられている。この種の釣り糸ガイドは、一般に、釣り竿に装着される金属薄板製のガイドフレームと、ガイドフレームに装着された硬質セラミック製のガイドリングとを有している。ガイドリングはガイドフレームに設けられた糸案内用の開口に一方側から装着されており、ガイドフレームの開口への圧入や接着等の固定方法によりガイドフレームに固着されている。
【０００３】
【発明が解決しようとする課題】
前記従来の構成では、釣り人がキャスティングを行う際に、オーバヘッドキャストやサイドハンドキャスト等の単純に釣り竿を振り投げる場合には、釣り糸がガイドリング内周部の上下位置や左右位置に常に接触する。しかし、釣り竿を三次元的にひねりながら振り投げる場合には、釣り糸がガイドリングの内周部を滑るように周方向に移動する。このようにガイドリングの内周部を釣り糸が周方向に移動し、釣り糸の内周部への接触形態が変化すると、釣り人が仕掛けの投入を開始し釣り糸を開放する際のたらしの距離（釣り竿先端からルアー等の仕掛けまでの釣り糸の長さ）が接触形態に応じて変化する。たらしの距離が変化すると、釣り糸を開放するタイミングと実際に仕掛けが飛ぶ方向とがずれやすくなり、仕掛けを正確にポイントに投入しづらくなる。
【０００４】
本発明の課題は、釣り竿の振り投げ方に係わらず、仕掛けをタイミングよく所望の方向に投入しやすくすることにある。
【０００５】
【課題を解決するための手段】
発明１に係る釣り糸ガイドは、釣り竿の外周面に装着され釣り糸を案内するガイドであって、フレーム部と、ガイドリングとを備えている。フレーム部は、開口を有し、釣り竿の外周面に装着される。ガイドリングは、フレーム部の開口に装着され、案内される釣り糸の周方向の移動を規制する移動規制部が内周部の周方向の少なくとも一か所に設けられている。また、移動規制部は、ガイドリングの他の部分より釣り竿の軸方向の肉厚が厚くなっており、かつ釣り竿の軸方向に沿った曲率半径がガイドリングの他の部分より大きい。
【０００６】
この釣り糸ガイドが装着された釣り竿では、釣り竿をどのように振り投げても、釣り糸が移動規制部に接触すると移動規制部に釣り糸が規制されてガイドリング内周部を移動しづらくなる。このため、ガイドリングへの釣り糸の接触形態が変化しにくくなり、たらしの距離も変化しにくくなる。この結果、釣り糸を開放するタイミングと実際に仕掛けが飛ぶ方向とがずれにくくなり、仕掛けを正確にポイントに投入しやすくなる。また、曲率半径を大きくし釣り竿の軸方向の肉厚を厚くすることで、糸巻取時に折れ曲がって案内される釣り糸とガイドリングとの摺動抵抗が小さくなりかつ、接触部位でのガイドリングの強度も強くなる。
【０００７】
発明２に係る釣り糸ガイドは、発明１に記載のガイドにおいて、移動規制部は、ガイドリング内周部に形成された凹部である。この場合には、凹部に釣り糸が入り込むことで釣り糸の周方向の移動が規制されるので、釣り糸が確実に規制される。
発明３に係る釣り糸ガイドは、発明１に記載のガイドにおいて、移動規制部は、ガイドリング内周部に形成され、他の部分より周方向での摩擦係数が大きい摩擦部である。この場合には、摩擦部に釣り糸が接触すると摩擦係数が大きいので釣り糸が周方向に移動しにくくなる。この摩擦部は、同じ材質のものを周方向で粗さを変えて実現してもよいし、また別の材質のものを内周面に配置することで実現してもよい。
【０００８】
発明４に係る釣り糸ガイドは、発明１から３のいずれかに記載のガイドにおいて、移動規制部は、ガイドリング内周部に周方向に等間隔で複数設けられている。この場合には、複数の移動規制部のいずれかに釣り糸が移動するとその位置で移動が規制されるので、よりはやく釣り糸の移動が規制される。
発明５に係る釣り糸ガイドは、発明４に記載のガイドにおいて、ガイドリングは内周部が多角形であり、移動規制部は多角形の角部で構成される。この場合には、多角形の角部が中心から一番離れた位置にあるので、釣り糸が周方向に移動しても角部で確実に保持される。
【０００９】
【発明の実施の形態】
図１において、本発明の一実施形態による釣り糸ガイドを装着したルアーフィッシング用の並継竿は、元竿１と、元竿１に並継ぎされた穂先竿２とを有している。
元竿１はわずかに先細りの筒状に形成され、その竿尻側には、たとえばコルク製のグリップ３が設けられている。グリップ３の竿先側にはリールシート４が形成されている。リールシート４には、たとえばルアー３０が先端に取り付けられた釣り糸Ｌ巻取用のスピニングリール５が装着される。
【００１０】
元竿１の外周面には釣り糸ガイド１１が、穂先竿２の外周面には釣り糸ガイド１２〜１６がそれぞれ装着されている。釣り糸ガイド１１は、元竿１のリールシート４に装着されたスピニングリール５に対向する位置に所定の間隔を隔てて配置されている。釣り糸ガイド１２〜１６は、穂先竿２の外周面の所定の位置に対向して間隔を隔てて並べて配置されており、穂先側の釣り糸ガイド１６は穂先竿２の穂先に装着されている。
【００１１】
釣り糸ガイド１１は、図２に示すように、板状金属製のガイドフレーム２０と、ガイドフレーム２０の下部に嵌め込まれ釣り糸が通過可能な硬質セラミック製のガイドリング２１とを有している。ガイドフレーム２０は、ガイドリング２１が嵌め込まれる開口２０ｃを有するリング部２０ａと、リング部２０ａから元竿１側に延びる装着足部２０ｂとを有している。装着足部２０ｂの基端は、元竿１に巻回された糸により固定されている。
【００１２】
ガイドリング２１は、図３に示すように、断面がほぼ長円形のリング状の部材であり、リング部２０ａの開口２０ｃに図３左側から嵌め込まれ固着されている。ガイドリング２１は、内周部に両端がＲ面取りされた糸案内用のガイド孔２２を有するとともに、外周部にその一部の切り欠いた段差部２３を有している。この段差部２３が開口２０ｃに嵌め込まれる。また、ガイドリング２１は、内周部に周方向に間隔を隔てて他の部分より凹んだ凹部からなる４つの移動規制部２１ａを有している。移動規制部２１ａは、ガイドリング２１に案内される釣り糸Ｌが周方向に移動するのを規制するためのものである。移動規制部２１ａは、他の部分より肉厚が厚くなっており、かつ元竿１の軸方向（図３左右方向）に沿った曲率半径が他の部分より大きい。このように、曲率半径を大きくし肉厚を厚くすることで、糸巻取時に折れ曲がって案内される釣り糸Ｌとガイドリング２１との摺動抵抗が小さくなりかつ、接触部位でのガイドリング２１の強度も強くなる。とくに元竿１に装着される釣り糸ガイド１１には、最も負荷がかかるので、このような形状のガイドリング２１を装着するとさらに上記効果が増大する。
【００１３】
穂先竿２に装着された釣り糸ガイド１２〜１６は、従来と同様な形状であり、ガイドフレームと、断面がほぼ円形のガイドリングとを有している。
このような構成の釣り糸ガイド１１を元竿１に装着すると、釣り竿をどのように振り投げても、釣り糸Ｌが移動規制部２１ａの凹部に接触するとそこに嵌まり込み、移動規制部２１ａによって釣り糸Ｌの周方向の移動が規制されてガイドリング２１内周部を移動しにくくなる。このため、ガイドリング２１への釣り糸の接触形態が変化しにくくなり、たらしの距離ｄ（図１）も変化しにくくなる。この結果、釣り糸Ｌを開放するタイミングと実際にルアー３０が飛ぶ方向とがずれにくくなり、ルアー３０を正確にポイントに投入しやすくなる。
【００１４】
〔他の実施形態〕
（ａ）  図４に示すように、ガイドリング２１の内周部を多角形に形成し、その角部で移動規制部２１ａを構成してもよい。
（ｂ）  図５に示すように、ガイドリング２１の内周部に摩擦係数が他の部分より大きい部材を固着し、その摩擦部で移動規制部２１ａを構成してもよい。
【００１５】
（ｃ）  移動規制部２１ａの構成は前記実施形態に限定されるものではなく、釣り糸のガイドリング内周部での周方向の移動を規制する構成であればどのような構成でもよい。
（ｄ）  本発明は並継竿に装着されるガイドリングに限定されるものではなく、振出竿や他の竿に装着される釣り糸ガイドにも適用できる。
【００１６】
（ｅ）  ガイドリング２１の材質はセラミックに限定されるものではなく、炭化珪素や焼き入れ鋼等の硬質なものであればどのような材質でもよい。
（ｆ）  移動規制２１が設けられる釣り糸ガイドは、１つに限定されず複数でもよい。また、装着場所も元竿に限定されずどこでもよい。
【００１７】
【発明の効果】
本発明によれば、釣り竿をどのように振り投げても、釣り糸が移動規制部に接触すると移動規制部に釣り糸が規制されてガイドリング内周部を移動しづらくなる。このため、ガイドリングへの釣り糸の接触形態が変化しにくくなり、たらしの距離も変化しにくくなる。この結果、釣り糸を開放するタイミングと実際に仕掛けが飛ぶ方向とがずれにくくなり、仕掛けを正確にポイントに投入しやすくなる。
【図面の簡単な説明】
【図１】本発明の一実施形態が採用された並継竿の側面図。
【図２】それに装着された釣り糸ガイドの正面図。
【図３】その断面拡大図。
【図４】他の実施形態の図２に相当する図。
【図５】他の実施形態の図２に相当する図。
【符号の説明】
１  元竿
１１  釣り糸ガイド
２０  ガイドフレーム
２０ｃ  開口
２１  ガイドリング
２１ａ  移動規制部
【図１】
0003770348.tif 000002
【図２】
0003770348.tif 000003
【図３】
0003770348.tif 000004
【図４】
0003770348.tif 000005
【図５】
0003770348.tif 000006